(57)【要約】  【課題】  本発明は、取替え可能な油タンクを備えたリニアガイドウェーを提供する。  【解決手段】  エンドカバーの外側に取替え可能な油タンクを特別に設置し、この取替え可能な油タンクが両延伸した脚部を有する冂字形に形成され、かつ取替え可能な油タンクの内縁をガイドウェーに合わせず、かつ当取替え可能な油タンクの両延伸した脚部の幅がガイドウェーの最大幅より大きく形成されると同時に、その冂字形本体部の最大幅は、ガイドウェーの上表面とスライダの頂面との距離より小さく形成される。【選択図】    図２
2007016874.tif 000002
【特許請求の範囲】
【請求項１】
ガイドウェー、ガイドウェー上に配設されるスライダ及び油タンクからなる取替え可能な油タンクを備えたリニアガイドウェーであって、
前記油タンクは、スライドウェーに対応して前記スライダの端部に組付けられ、かつ、本体部及び両延伸した脚部により冂字形に形成され、かつ両延伸した脚部の幅がガイドウェーのレールの最大幅より大きく形成され、さらに油タンクの冂字形本体部の最大幅が前記ガイドウェーの上表面と前記スライダの頂面との距離より小さく形成されることを特徴とする取替え可能な油タンクを備えたリニアガイドウェー。
【請求項２】
前記油タンクは、ハウジングとカバーとから構成され、前記ハウジング内に油収容槽及び給油孔が開設され、さらに前記給油孔に弾性変形可能なゴムプラグが封止するように設けられることを特徴とする請求項１記載の取替え可能な油タンクを備えたリニアガイドウェー。
【請求項３】
前記油タンクは、ブロー成形技術により一体成形されたことを特徴とする請求項１記載の取替え可能な油タンクを備えたリニアガイドウェー。
【請求項４】
ガイドウェー、ガイドウェー上に配設されるスライダ及び油タンクからなり、
前記スライダは、端部にエンドカバーを設け、さらにエンドカバーの端面上に接続台が開設され、接続台が前記スライダと前記エンドカバー内の潤滑油路と接続され、
前記接続具は、両端にそれぞれ接続部及び嵌着部を設置し、また接続具内に軸方向へ貫通する導油孔が開設され、
前記油タンクは、さらに出油孔を設け、出油孔が前記接続具の嵌着部に対して嵌着することを特徴とする請求項２または請求項３記載の取替え可能な油タンクを備えたリニアガイドウェー。
【請求項５】
前記スライダは、雌ねじを備えた接続台が開設され、
前記接続具は、両端にそれぞれねじを備えた接続部が設置され、この接続具は接続部で前記スライダのエンドカバー接続台上に螺設し、接続部に対応する他端に嵌着部が設置され、嵌着部が予設した段差部に係合溝を設け、
前記油タンクは、前記嵌着部の係合溝に係合突起を設置し、前記接続具における嵌着部の係合溝が油タンクの係合突起に合わせて密封されることを特徴とする請求項４記載の取替え可能な油タンクを備えたリニアガイドウェー。
【発明の詳細な説明】
【技術分野】
【０００１】
本発明は、リニアモジュールシステムを提供し、より詳細には、このリニアモジュールシステムの外側には特別に直接に取替え可能な油タンクが設けられ、またガイドウェーの上表面とスライダの頂面との間の空間を利用可能にして取り替える作業を直接に行うことができるリニアガイドウェーを提供する。
【背景技術】
【０００２】
現に、様々の精密的な送りシステムの研究開発を改進しつつ、それによって各精密的なリニア機構製品は、既に人類の生活、加工工場または高科学技術の設備に広く入りつつである。そのため、リニアガイドウェー技術は、かなり迅速的に発展するにもかかわらず、消費使用者にとって製品の技術的効能をさらに向上する必要があると求めている。従って、リニア製品（例えば、リニアガイドウェー）を進歩して開発するための多くの問題がもたらされる。それに応じて、かかる技術産業も既に積極的に研究開発により、リニアガイドウェー技術に関する各新規的な考案または新規的な発明などを有効に改善しようとしている。特に、より安定的、または静的な高精度に製造される産業機具が多く必要（例えば、ウェハ加工設備、ＣＮＣ設備など）とされるが、現存のリニア機構技術は、未だに若干の盲点が存在しているので、各業者の研究開発により改善することが期待されている。
【０００３】
現に、市場に使用されているリニアガイドウェー構造では、ガイドウェー、ボール保持器、スライダ、エンドカバー及び油タンクなどからなる（他にも若干スクレーパが配置されている。ここでの説明を省略する）ものは殆どであるが、スライダの両端には、いずれも１組のエンドカバー及び油タンクの組合せを含み、かつ組合せた各部材のいずれもガイドウェーの外方に摺動できるように配設されている（各部材の何れもガイドウェーに摺接して配合する）。前記部材の概略説明により従来の製品構造をよく理解できるであろう。
【発明の開示】
【発明が解決しようとする課題】
【０００４】
前記のような従来の製品が実用された後、確かに市場の主流となっているが、その内の油タンク部材は、常に使用者を下記の問題で困らせている。
【０００５】
その一は、油タンクには油を常に添加しなければならないことである。使用者は、体を曲げ、ガイドウェーの上表面とスライダ頂面との間の空間に手を入れ、さらに工具を用いて油を供給する作業を行っているので、合理的な人体工学の設計とは言えない上、油の供給作業もかなり面倒で、時間のかかる作業でもある。
【０００６】
その二は、油タンクは、常に取替えたり、保守したりしなければならないことである。しかし、油タンク本体は、ガイドウェーの外方に摺動するように配置され、油その下縁は、ガイドウェーと合わせて摺接しているので、使用者が従来の製品に対して全リニアシステムを取り外して始めて油タンクを取り外すことができる。そのために、全機構に対する全ての作業を中止しなければならず、また作業においても時間的、または工数が多くかかり、リニアガイドウェーシステムに必要なコストも高騰する一方である。
【０００７】
その三は、現に存在される使い捨て部品は、既に市場の主流となっていることである。しかし、従来製品の油タンクは、その下縁とガイドウェーとを摺接して配合する構造に制限されているので、使い捨て方式油タンクの設計概念を取り入れることができなかったため、市場の競争上の弱点ともなっている。
【０００８】
前記製品の各問題から、従来に使用されるリニア機構の油タンクに生じた問題が少ないとは言えないが、以上の欠陥について、理想的、実用的または進歩的製品を求める今日では、誠に努力に追求して改善すべき目標であると考える。
【０００９】
前記を鑑みて、本発明人は、詳しく研究の結果、さらに長年の各リニアガイドウェー製品またはリニアガイドウェーの技術経験の積重ねを活かして、取替え可能な油タンクを備えるリニアガイドウェーを開発し、ガイドウェーの上表面とスライダの頂面との間の空間を利用してこの取替え可能な油タンクを直接に取替える作業を行い、かつスクリューなしの組付け設計に合わせて取替え可能な油タンクの工数を短縮して作業プロセスを簡略化すると共に、組付けまたは保守など、コストを大幅に低減することができた。
【課題を解決するための手段】
【００１０】
本発明は、主に取替え作業を直接に行える取替え可能な油タンクを備えたリニアガイドウェーを提供する目的とする。本発明の取替え可能な油タンクは、両延伸した脚部を含む冂字形になし、かつ取替え可能な油タンクの内縁がガイドウェーに合わせず、この取替え可能な油タンクは、前記ガイドウェーの上表面とこのスライダの頂面との距離に進出することができる。よって、本発明は、ガイドウェーの上表面とスライダの頂面との間の空間を利用して前記取替え可能な油タンクの取替え作業を直接に行うことができ、さらにスクリューなしの組付け設計に合わせて取替え可能な油タンクの工数を短縮して作業プロセスを簡略化すると共に、組付け、保守など、コストを大幅に低減することができる。
【００１１】
また、本発明は、使い捨て方式油タンクの設計概念を有する取替え可能な油タンクを備えたリニアガイドウェーを提供する次要の目的とする。本発明は、ガイドウェーの上表面とスライダの頂面との間の空間を利用して取替え可能な油タンクの取替え作業を直接に行うことができ、さらにスクリューなしの組付け設計に合わせて取替え可能な油タンクの工数を短縮するため、本発明は、人体工学、コスト低減の要求に符合する上、さらに使い捨て方式油タンクの設計概念にも符合して、市場における製品の競争力を有効に向上することができる。
【発明の効果】
【００１２】
本発明の構造設計は、特別にエンドカバーの外側に取替え可能な油タンクを設置し、当該取替え可能な油タンクが両延伸した脚部を有する冂字形に形成され、かつ取替え可能な油タンクの内縁がガイドウェーに合わせずに、両延伸した脚部の幅をガイドウェーの最大幅より大きくすると共に、取替え可能な油タンクの冂字形本体部の最大幅がガイドウェーの上表面とスライダの頂面との距離より小さく形成される。ガイドウェーの上表面とこのスライダの頂面との間の空間においてこの取替え可能な油タンクの取替え作業を直接に行うことができ、またスクリューなしの組付け設計に合わせて取替え可能な油タンクの作業工数を短縮でき、作業プロセスを簡略化できると同時に、組付け、保守に必要なコストも大幅に低減される。
【発明を実施するための最良の形態】
【００１３】
本発明は、前記の目的を達成するために、採用する高度な技術的思想、手段について、各図面を合わせてより好まれる実施例として詳しく説明する。
【００１４】
本願の発明の目的、特徴及びその他の優点は、それにより深く具体的に理解すべきと信じ、さらに図１乃至図７を合わせて参照するように説明する。
【実施例】
【００１５】
本発明の取替え可能な油タンクを備えたリニアガイドウェーは、ガイドウェー１０、スライダ２０、両接続具３０及び両油タンク４０を含んでなり、その構造は、下記に詳しく説明する。
【００１６】
ガイドウェー１０は、両側に凹凸状のレール構造１１が設置される。スライダ２０は、その両端にエンドカバー２１が取り付けられ、さらにスライダ２０及びエンドカバー２１の何れもガイドウェー１０のレール構造１１上に配設され、エンドカバー２１の端面上に雌ねじを備えた接続台２１１が開設される。この接続台２１１は、スライダ２０とエンドカバー２１内の潤滑油路と接続する。
【００１７】
接続具３０は、その両端にそれぞれねじを設ける接続部３１を設置し、この接続具３０が接続部３１によりスライダ２０のエンドカバー２１の接続台２１１上に螺設される。接続部３１に対応する他端に嵌着部３３が設置され、嵌着部３３が予めに設置した段差部に係合溝３３１を設けると共に、接続部３１と嵌着部３３との間に突起リング３２を間設して接続具３０内に軸方向へ貫通する導油孔３４が開設される。
【００１８】
油タンク４０（図７、図８参照）は、本体部４０１及び両延伸した脚部４０２を利用して冂字形に形成され、さらに両延伸した脚部４０２の幅ａがガイドウェー１０のレール構造１１の最大幅ｄより大きく、かつ油タンク４０の冂字形本体部４０１の最大幅ｂが前記ガイドウェー１０の上表面とスライダ２０の頂面との距離ｃより小さく形成される。図４、５及び６に示す油タンク４０は、ハウジング４１及びカバー４２から構成され（接合方式は、超音波、摩擦接合、熱溶着、グルーなどを使用可能）、このハウジング４１内に油収容槽４１１及び給油孔４１２を開設する。また給油孔４１２を封止するように弾性変形可能なゴムプラグ４１３を設け、さらに出油孔４１４を開設して出油孔４１４が接続具３０の嵌着部３３に対して嵌着され、かつ嵌着部３３に対応する係合溝３３１に係合突起４１５を設置する。図１、２及び３における一体式油タンクは、ブロー成形技術により一体成形されるため、図１、２及び３中には、ハウジング４１及びカバー４２のような構造の区別（本発明の特徴とする本体部４０１及び両延伸した脚部４０２の構成であるため、それらの両油タンクの設計に関する説明を省略する。）がなく、前記実施例の構造的特徴及びそれらの互いの位置関係の巧妙的配列により、さらに各部材間の互いの作動原理を合わせて本発明の前記の基本的目的を達成することができる。
【００１９】
次に、審査官に、本発明の構造、特徴及びその他の優点をより理解し、認識していただくために、なお本発明の作動原理を図面に合わせて下記のように詳しく説明する。
【００２０】
また、本発明は、公知の構造より進歩的かつ実用的な優点を備えることを説明し、またより明らかにするために、さらに図９に示す本発明における実施例の動作図を参照する。
【００２１】
本発明は、油タンク４０の取替えを行わなければならない時、油タンク４０の本体部４０１及び両延伸した脚部４０２は、冂字形に形成され、さらに両延伸した脚部４０２の幅ａがガイドウェー１０のレール構造１１の最大幅ａより大きいので、本発明の油タンク４０の内縁は、ガイドウェー１０のレール構造１１と合わせず、かつ両延伸した脚部４０２の幅ａは、レール構造１１の最大幅ｄより大きい設計では、さらに油タンク４０の両延伸した脚部４０２がレール構造１１の近くから直接に脱出（図７参照）することが許される。また、本発明は、さらに油タンク４０の冂字形本体部４０１の最大幅ｂがガイドウェー１０の上表面とスライダ２０の頂面との距離ｃより小さい設計に合わせて、冂字形本体部４０１が距離ｃ内に回転することができるため、本発明は、使用者が油タンク４０をガイドウェー１０のレール構造１１から容易に回転して脱出することができる。さらに図９に矢印で示すように、ガイドウェー１０の上表面とスライダ２０の頂面の距離ｃ中から油タンク４０を直接に取り出すことができる。よって、本発明は、当該取替え可能な油タンクの取替え作業を直接に行えると同時に、組付け、保守などのコストも大幅に低減される。
【００２２】
本発明は、接続具３０の接続部３１をスライダ２０のエンドカバー２１の接続台２１１上に螺設してこの接続部３１の他端の嵌着部３３を油タンク４０の出油孔４１４に直接に対応して嵌着することができ、さらにこの接続具３０の嵌着部３３の係合溝３３１が油タンク４０の係合突起４１５に合わせて密封されることができる。よって、本発明の油タンク４０は、スクリューなしの組付け設計を備え、さらに当該スクリューなしの組付け設計を合わせて取替え可能な油タンクの取替え工数が短縮され、かつ人体工学、コスト低減の要求に符合しているので、使い捨て方式油タンクの設計概念を確実に実現でき、かつ市場における製品の競争力を効果的に向上できる取替え油タンクを備えたリニアガイドウェーである。
【産業上の利用可能性】
【００２３】
油タンクを使用しているリニアガイドウェーに適用できる。
【図面の簡単な説明】
【００２４】
【図１】本発明を組合せた状態を示す図。
【図２】本発明の分解斜視図。
【図３】本発明の取替え可能な油タンクの斜視図。
【図４】本発明の取替え可能な油タンクの分解斜視図。
【図５】本発明の取替え可能な油タンクに接続具を配置する状態を示す図。
【図６】本発明の取替え可能な油タンクに接続具を配置する状態を示す断面図。
【図７】本発明の取替え可能な油タンクの配置を示す図。
【図８】本発明の取替え可能な油タンクの取替え時の状態を示す図。
【図９】本発明の取替え可能な油タンクの他の取替え時の状態を示す図。
【符号の説明】
【００２５】
１０    ガイドウェー                  １１    レール構造
ｄ    幅                              ｃ    距離
２０    スライダ                      ２１    エンドカバー
２１１    接続台
３０    接続具                        ３１    接続部
３２    突起リング                    ３３    嵌着部
３３１    係合溝                        ３４    導油孔
４０    油タンク                    ４０１  本体部
４０２    延伸脚部                        ａ    幅
ｂ    幅                            ４１    ハウジング
４１１    油収容槽                    ４１２  給油孔
４１３    ゴムプラグ                  ４１４  出油孔
４１５    係合突起                      ４２    カバー
【図１】
2007016874.tif 000003
【図２】
2007016874.tif 000004
【図３】
2007016874.tif 000005
【図４】
2007016874.tif 000006
【図５】
2007016874.tif 000007
【図６】
2007016874.tif 000008
【図７】
2007016874.tif 000009
【図８】
2007016874.tif 000010
【図９】
2007016874.tif 000011